(57)【要約】【課題】簡単な構成で、患者等の被写体の身長や体型に影響されることがなく、種々の撮影部位を容易かつ確実に記録することを可能にする。【解決手段】放射線画像情報記録読取装置１０は、撮影部１４と、この撮影部１４を昇降可能に保持する昇降部１２とを備える。撮影部１４の両側部には、撮影時に患者が把持可能な側部把持部７０が設けられる。側部把持部７０は、撮影部１４の側面視で略Ｌ字状の側部掴まり棒体７２を備えるとともに、前記側部掴まり棒体７２の途上に中間掴まり棒体７４が設けられる。【選択図】図１
2004174019.tif 000002
【特許請求の範囲】
【請求項１】
患者等の被写体に放射線を照射して該被写体の放射線画像情報を記録する放射線画像情報記録装置であって、
前記被写体が配置されて該被写体の放射線画像情報を撮影する撮影部と、
前記撮影部を昇降可能に保持する昇降部と、
前記撮影部の両側部に設けられ、撮影時に前記被写体が把持可能な側部把持部と、
を備え、
前記側部把持部は、前記撮影部の側面視で略Ｌ字状の側部掴まり棒体を設けるとともに、前記側部掴まり棒体の途上に中間掴まり棒体が設けられることを特徴とする放射線画像情報記録装置。
【請求項２】
患者等の被写体に放射線を照射して該患者の放射線画像情報を記録する放射線画像情報記録装置であって、
前記患者が配置されて該患者の放射線画像情報を撮影する撮影部と、
前記撮影部を昇降可能に保持する昇降部と、
前記撮影部の上方に昇降自在に設けられ、撮影時に前記患者が把持可能な上部把持部と、
を備え、
前記上部把持部は、前記被写体の上方位置から離間する位置に３以上の上部掴まり棒体を設けることを特徴とする放射線画像情報記録装置。
【請求項３】
請求項２記載の放射線画像情報記録装置において、前記上部掴まり棒体は、前記被写体側に突出する端部を円弧状に湾曲形成することを特徴とする放射線画像情報記録装置。
【請求項４】
請求項１乃至３のいずれか１項に記載の放射線画像情報記録装置において、前記昇降部に操作パネルが取り付けられるとともに、
前記操作パネルは、少なくとも上下方向または左右方向に傾動可能であることを特徴とする放射線画像情報記録装置。
【請求項５】
請求項１乃至４のいずれか１項に記載の放射線画像情報記録装置において、少なくとも前記撮影部を昇降させる昇降スイッチ部を備え、
前記昇降スイッチ部は、該昇降スイッチ部を任意の位置に保持するためのマグネットを設けることを特徴とする放射線画像情報記録装置。
【請求項６】
請求項５記載の放射線画像情報記録装置において、前記昇降スイッチ部は、前記撮影部を昇降させる第１スイッチと、
前記上部把持部を昇降させる第２スイッチと、
前記撮影部と前記上部把持部との昇降動作を連動させる第３スイッチと、
を備えることを特徴とする放射線画像情報記録装置。
【発明の詳細な説明】
【０００１】
【発明の属する技術分野】
本発明は、患者等の被写体に放射線を照射して該被写体の放射線画像情報を記録する放射線画像情報記録装置に関する。
【０００２】
【従来の技術】
従来より、放射線（Ｘ線、α線、β線、γ線、電子線、紫外線等）を照射すると、この放射線エネルギの一部が蓄積され、その後、可視光等の励起光を照射すると、蓄積されたエネルギ強度に応じて輝尽発光を示す蓄積性蛍光体（輝尽性蛍光体）を利用して、人体等の被写体の放射線画像情報を写真感光材料等に再生させる、あるいはＣＲＴ等に可視像として出力させるシステムが知られている。
【０００３】
上記のシステムでは、具体的には、人体等の被写体の放射線画像情報をシート状の蓄積性蛍光体層を備えた蓄積性蛍光体シートに一旦記録（撮影）する撮影部と、この蓄積性蛍光体シートにレーザ光等の励起光を照射することにより輝尽発光光を発生させ、この輝尽発光光を光電的に読み取る読み取り部と、読み取り後に前記蓄積性蛍光体シートに残存する放射線画像情報を消去する消去部とを組み込むとともに、該蓄積性蛍光体シートを装置内に収容した、所謂、ビルトイン方式の放射線画像情報記録読取装置（放射線画像情報記録装置）が採用されている。
【０００４】
ところで、この種の放射線画像情報記録読取装置では、立位姿勢の患者を補助するための掴まり棒が、昇降可能な装置本体の側部に設けられている（特許文献１）。この掴まり棒は、患者の横方向の支えとしての機能と、この患者の撮影位置を確実に撮影するために、例えば、肩甲骨を開いて肺を撮影し易くする機能とを備えている。
【０００５】
具体的には、図１１に示すように、昇降部１に装置本体２が昇降可能に支持されるとともに、前記装置本体２には、撮影部３の両側に位置して患者が把持するための掴まり棒４ａ、４ｂが設けられている。この掴まり棒４ａ、４ｂは、装置本体２の下方に所定の長さだけ延在しており、患者の放射線画像情報を撮影する際に前記患者が前記掴まり棒４ａ、４ｂを把持するように構成されている。
【０００６】
【特許文献１】
特開２０００−１６６９１７号公報（段落［００２５］、［００２６］、図１）
【０００７】
【発明が解決しようとする課題】
ところで、上記の特許文献１では、２本の掴まり棒４ａ、４ｂが装置本体２の下方に延在しているだけであり、体型、特に身長によっては患者がこの掴まり棒４ａ、４ｂを把持し難いおそれがある。また、患者が装置本体２の奥にまで十分に手を回すことが困難であるため、例えば、肩甲骨が開かない場合がある。
【０００８】
本発明はこの種の問題を解決するものであり、簡単な構成で、患者等の被写体の体型に影響されることがなく、種々の撮影部位を容易かつ確実に記録することが可能な放射線画像情報記録装置を提供することを目的とする。
【０００９】
【課題を解決するための手段】
本発明に係る放射線画像情報記録装置では、患者等の被写体が配置されて該被写体の放射線画像情報を撮影する撮影部と、前記撮影部を昇降可能に保持する昇降部とを備えている。ここで、撮影部の両側部には、撮影時に被写体が把持可能な側部把持部が設けられている。側部把持部は、撮影部の側面視で略Ｌ字状の側部掴まり棒体を備えるとともに、前記側部掴まり棒体の途上に中間掴まり棒体が設けられている。
【００１０】
このため、被写体は、略Ｌ字状の側部掴まり棒体を、その上下方向および前後方向に沿って任意の位置で把持することができ、例えば、車椅子からの自立補助や、順手および逆手での把持や、撮影部の後ろに手を回すこと等が容易に遂行される。しかも、中間掴まり棒体を設けているので、例えば、身長の低い被写体であっても、前記中間掴まり棒体を容易に把持することが可能になる。
【００１１】
これにより、被写体は、身長や体型に影響されることがなく、側部把持部を無理なく把握することができ、この被写体の種々の撮影部位を容易かつ確実に記録することが可能になるとともに、構成が簡素化して経済的なものになる。
【００１２】
一方、撮影部の上方には、撮影時に被写体が把持可能な上部把持部が昇降自在に設けられている。上部把持部は、被写体の上方位置から離間する位置に３以上の上部掴まり棒体を備えている。このため、上部把持部が下降する際に、前記上部把持部が被写体と接触することはない。
【００１３】
さらに、任意の上部掴まり棒体を選択するだけで、被写体の体型に影響されることがなく、前記上部把持部を確実に把持することが可能になる。その上、上部掴まり棒体を選択的に把持することにより、被写体の左右両側を撮影部に対向させることができるとともに、例えば、肩甲骨を良好に開くことが可能になる。
【００１４】
また、上部掴まり棒体は、被写体側に突出する端部を円弧状に湾曲形成している。従って、上部掴まり棒体の被写体が把持する部位には、突起部分が存在することがない。
【００１５】
さらにまた、昇降部に操作パネルが取り付けられるとともに、前記操作パネルは、少なくとも上下方向または左右方向に傾動可能である。操作パネルが上下方向に傾動することにより、例えば、身長の異なる種々の被写体が撮影部に対応して配置される際に、各被写体が前記操作パネルに表示される被写体名等の確認を容易に行うことができる。一方、操作パネルが左右に傾動することにより、操作者（技師）による作業性が有効に向上する。
【００１６】
さらに、少なくとも撮影部を昇降させる昇降スイッチ部を備え、前記昇降スイッチ部は、該昇降スイッチ部を任意の位置に保持させるためのマグネットを設けている。このため、被写体による誤操作を防止するとともに、操作性の向上を図ることが可能になる。
【００１７】
また、昇降スイッチ部は、撮影部を昇降させる第１スイッチと、上部把持部を昇降させる第２スイッチと、前記撮影部と前記上部把持部との昇降動作を連動させる第３スイッチとを備えている。これにより、撮影部および上部把持部の昇降操作が容易に遂行される。
【００１８】
【発明の実施の形態】
図１は、本発明の実施形態に係る放射線画像情報記録読取装置（放射線画像情報記録装置）１０の斜視説明図であり、図２は、前記放射線画像情報記録読取装置１０の概略構成図である。
【００１９】
放射線画像情報記録読取装置１０は、鉛直方向（矢印Ａ方向）に延在する昇降部１２を備え、この昇降部１２には、撮影部（装置本体）１４が撮影部昇降機構１６を介して昇降自在に支持されている。この撮影部昇降機構１６は、ボールねじやシリンダ等の図示しないアクチュエータを備える。
【００２０】
図２に示すように、撮影部１４は、被写体、例えば、人体等の患者Ｈの放射線画像情報を蓄積性蛍光体シートＩＰに一旦記録する放射線記録部２２と、前記蓄積性蛍光体シートＩＰに対して主方向（矢印Ｘ方向）にレーザ光等の励起光Ｌを照射し、放射線の強度に応じて発光する輝尽発光光Ｒを光電的に読み取る読み取り部（走査部）２４と、前記読み取り部２４を前記主方向に略直交する副方向（矢印Ｙ方向）に搬送する副走査系２６と、前記蓄積性蛍光体シートＩＰに残存している放射線エネルギを放出させる消去光源部２８とを備える。
【００２１】
放射線記録部２２は、放射線Ｓを発生させる放射線源３０と、患者Ｈを所定位置に保持する放射線透過性の撮影台３２とを備えている。撮影台３２の後方には、フォトタイマ３３と、散乱線除去用のグリッド３４とが配置されている。グリッド３４のさらに後方には、蓄積性蛍光体シートＩＰが所定の撮影位置に保持されている。
【００２２】
読み取り部２４は、励起系３６と、集光レンズアレイ３８を設けるＣＣＤラインセンサ（光電変換手段）４０とを備える。励起系３６、集光レンズアレイ３８およびＣＣＤラインセンサ４０は、主方向に延在してスキャナヘッド４２に装着されている。
【００２３】
励起系３６は、主方向（矢印Ｘ方向）に配列される複数個のレーザダイオード４４を備える。レーザダイオード４４は、励起光出射側が蓄積性蛍光体シートＩＰから離間する方向に向かって配置されるとともに、前記レーザダイオード４４から発せられる発散光状態の励起光は、シリンドリカルミラー４６で反射されて励起光Ｌとして蓄積性蛍光体シートＩＰに対し主方向に向かって線状に照射される。
【００２４】
副走査系２６は、矢印Ｙ方向一端側に配置される回転駆動源５０を備え、この回転駆動源５０から矢印Ｘ方向に延在する回転軸５２の両端には、駆動プーリ５４が固定される。各駆動プーリ５４から矢印Ｙ方向に所定間隔離間して従動プーリ５６が配置され、前記従動プーリ５６と前記駆動プーリ５４とにベルト５８が架け渡される。ベルト５８にスキャナヘッド４２が固定されるとともに、このスキャナヘッド４２は、矢印Ｙ方向に延在する一対のガイドレール６０に支持されている。
【００２５】
消去光源部２８は、蓄積性蛍光体シートＩＰに対して読み取り部２４を挟んで対向して配置される。消去光源部２８は、蓄積性蛍光体シートＩＰに消去光Ｑを照射して該蓄積性蛍光体シートＩＰに残存している放射線エネルギを放出させる。消去光源部２８は、蓄積性蛍光体シートＩＰの幅方向（矢印Ｘ方向）以上の長さを有する蛍光灯６８を該蓄積性蛍光体シートＩＰの長さ方向（矢印Ｙ方向）に複数個配設し、前記蓄積性蛍光体シートＩＰの全画像領域に消去光Ｑが照射されるように構成されている。
【００２６】
図１および図３に示すように、撮影部１４の両側部には、撮影時に患者Ｈが両手で把持可能な側部把持部７０が設けられる。側部把持部７０は、撮影部１４の側面視で昇降部１２側に湾曲する略Ｌ字状の側部掴まり棒体７２を設けるとともに、前記側部掴まり棒体７２の途上に中間掴まり棒体７４が設けられる。
【００２７】
側部掴まり棒体７２は、撮影部１４の側部上部側から鉛直下方向に向かって昇降部１２側に傾斜する鉛直部７２ａと、前記撮影部１４の下部に連結されて前記昇降部１２側に延在し、前記鉛直部７２ａに円弧状に湾曲して連結する水平部７２ｂとを一体的に設ける。中間掴まり棒体７４は、水平部７２ｂと略平行して鉛直部７２ａに一体的に連結される。
【００２８】
撮影部１４には、患者Ｈの生殖腺を放射線から保護するための保護機構７６が設けられる。保護機構７６は、撮影部１４に対して上下方向に移動可能な平行リンク部７８と、一端側に前記平行リンク部７８が連結されるとともに、他端側に放射線防護部８０が装着され、略水平方向に移動して任意の位置に停止可能なアーム部８２とを備える。放射線防護部８０は、例えば、Ｘ線の透過を防止するために鉛等を含んでおり、スカート状に構成されている。
【００２９】
撮影部１４の下部には、この撮影部１４が下降する際に患者等に接触したことを検出する接触検出スイッチ８４が設けられる（図２参照）。図１に示すように、撮影部１４の上部には、グリッド３４が配置されている際に点灯するグリッド有無表示ＬＥＤ８６と、前記グリッド３４の交換可能時に点灯するグリッド交換可能表示ＬＥＤ８８と、グリッド交換扉（図示せず）のロックを解除するグリッド交換扉開スイッチ８９とが設けられる。
【００３０】
昇降部１２の上部には、撮影可能表示およびサービスマンコール表示を行う本体表示灯９０が設けられる。この本体表示灯９０は、例えば、撮影可能な際にグリーンの点灯を行う一方、サービスマンコール時にはオレンジが点灯する。
【００３１】
この昇降部１２に併設して枠部材９２が設けられる。枠部材９２には、上部把持部材昇降機構９４が内装されており、この上部把持部材昇降機構９４を介して上部把持部９６が昇降自在に支持される。上部把持部材昇降機構９４は、ボールねじやシリンダ等の図示しないアクチュエータを備える。
【００３２】
上部把持部９６は、図３に示すように、患者Ｈの上方位置から離間する位置に３以上、例えば、４の上部掴まり棒体９８ａ、９８ｂ、９８ｃおよび９８ｄが設けられる。上部掴まり棒体９８ａ、９８ｂは、患者Ｈ側に突出する端部を円弧状に湾曲して一体的に設けられる一方、上部掴まり棒体９８ｃ、９８ｄの前記患者Ｈ側に突出する端部は、同様に円弧状に湾曲して一体的に形成される。上部掴まり棒体９８ｂ、９８ｃ間の距離Ｗは、患者Ｈの前後方向の厚さＤよりも大きな値に設定される。
【００３３】
図１に示すように、枠部材９２の下部側には、装置電源のオン／オフを行う電源ブレーカスイッチ１００が設けられ、この電源ブレーカスイッチ１００の上方には、撮影部１４の昇降を緊急停止させるための緊急停止スイッチ１０２が設けられる。枠部材９２の上部には、操作パネル１０４が取り付け台１０６に対して上下方向および左右方向に傾動可能に装着される。
【００３４】
操作パネル１０４は、放射線画像情報記録読取装置１０の設置時に、昇降部１２の右側または左側のいずれかに設置位置が選択可能である。この操作パネル１０４は、例えば、正面に対して右側に０°〜６０°の範囲に傾動するとともに、上下に対して±１５°の範囲で傾動可能である。
【００３５】
図４に示すように、操作パネル１０４には、放射線画像情報記録読取装置１０の起動を行う装置電源スイッチ１０８が設けられ、この装置電源スイッチ１０８の上方に配置されるパネル部１１０には、患者情報、撮影サイズ表示および選択、ユーティリティ操作等が表示される。
【００３６】
装置電源スイッチ１０８の側方には、パネル部１１０の輝度調整を行う輝度調整摘み１１２が設けられる。操作パネル１０４の上部には、サービスマンコール表示を行うコールＬＥＤ１１４と、電源投入を表示するパワーＬＥＤ１１６と、撮影可能な状態を表示するレディＬＥＤ１１８とが配置される。
【００３７】
操作パネル１０４からケーブル１２０を介してリモコン式の昇降スイッチ部１２２が接続されるとともに、この昇降スイッチ部１２２は、マグネット１２４を介して枠部材９２の任意の位置に保持可能である。図５に示すように、昇降スイッチ部１２２は、撮影部１４を昇降させるための撮影部昇降スイッチ（第１スイッチ）１２６と、上部把持部９６を昇降させるための上部把持部昇降スイッチ（第２スイッチ）１２８と、前記撮影部１４と前記上部把持部９６との昇降動作を連動させる連動スイッチ（第３スイッチ）１３０とを備える。
【００３８】
撮影部昇降スイッチ１２６には、撮影部１４の下部に設けられている接触検出スイッチ８４が作動中に点灯する接触検出スイッチ作動ＬＥＤ１３２が設けられる。連動スイッチ１３０の近傍には、撮影部１４と上部把持部９６の昇降連動時に点灯する連動ＬＥＤ１３４が設けられる。
【００３９】
なお、図１に示すように、昇降部１２に近接して、制御部１３６が配置されている。撮影部１４には、交換可能なあご当て１３８が装着されている。
【００４０】
このように構成される放射線画像情報記録読取装置１０の動作について、以下に説明する。
【００４１】
まず、図２に示すように、放射線画像情報の記録を行うべく、患者Ｈが放射線記録部２２に移動すると、技師等が昇降スイッチ部１２２の撮影部昇降スイッチ１２６を操作することによって（図１参照）、撮影部１４を昇降させる等の記録位置合わせを行う。さらに、患者Ｈが撮影台３２に対応して配置された状態で、技師等によって放射線源３０が駆動される（図２参照）。この放射線源３０から出力された放射線は、患者Ｈを透過して蓄積性蛍光体シートＩＰに到達することにより、前記蓄積性蛍光体シートＩＰに放射線画像情報が記録される。
【００４２】
患者Ｈの放射線画像情報が蓄積性蛍光体シートＩＰに記録された後、読み取り部２４を構成する励起系３６が駆動されるとともに、副走査系２６を構成する回転駆動源５０が駆動される。励起系３６では、蓄積性蛍光体シートＩＰの主方向（矢印Ｘ方向）に配列されている複数のレーザダイオード４４が駆動され、前記レーザダイオード４４から出力されてシリンドリカルミラー４６で反射された励起光Ｌが、蓄積性蛍光体シートＩＰに矢印Ｘ方向に沿って照射される。
【００４３】
一方、副走査系２６を構成する回転駆動源５０の駆動作用下に、回転軸５２を介して駆動プーリ５４が回転すると、この駆動プーリ５４と従動プーリ５６とに架け渡されているベルト５８の周回走行作用下に、前記ベルト５８に固着されているスキャナヘッド４２が矢印Ｙ方向に移動する。このため、放射線画像情報が蓄積された蓄積性蛍光体シートＩＰは、励起光Ｌによって２次元的に走査され、この蓄積性蛍光体シートＩＰが前記放射線画像情報に応じた輝尽発光光Ｒを発する。
【００４４】
この輝尽発光光Ｒは、集光レンズアレイ３８を介してＣＣＤラインセンサ４０に入射される。このＣＣＤラインセンサ４０に輝尽発光光Ｒが入射すると、この輝尽発光光Ｒが電気信号に変換されて蓄積性蛍光体シートＩＰの放射線画像情報が光電的に読み取られる。
【００４５】
次いで、放射線画像情報の読み取りが行われた蓄積性蛍光体シートＩＰに対して、消去光源部２８を構成する蛍光灯６８から消去光Ｑが照射される。従って、蓄積性蛍光体シートＩＰに残存する放射線エネルギの放出が行われ、この蓄積性蛍光体シートＩＰは次の撮影に供されることになる。
【００４６】
この場合、本実施形態では、図１および図３に示すように、撮影部１４の両側部に、撮影時に患者Ｈが把持可能な側部把持部７０が設けられている。この側部把持部７０は、撮影部１４の側面視で略Ｌ字状の側部掴まり棒体７２を備えており、この側部掴まり棒体７２の鉛直部７２ａから水平部７２ｂに沿って上下方向および前後方向に任意に把持することができる。
【００４７】
このため、例えば、患者Ｈは、車椅子からの自立補助が可能になるとともに、腕を撮影部１４の奥に伸ばす姿勢を容易に取ることができ、さらに順手または逆手のいずれでも把持することが可能になって、姿勢の制限がない。
【００４８】
さらに、図６に示すように、患者Ｈの肩甲骨が最も開く姿勢、すなわち、患者Ｈが腰に手を当てた状態に近い姿勢を取ることが可能になる。具体的には、患者Ｈは、腰に近い位置である水平部７２ｂを逆手で持つことにより肘を張ることができ、これによって肩甲骨を確実に開くことが可能になる。
【００４９】
しかも、中間掴まり棒体７４が設けられているので、例えば、身長の低い患者Ｈであっても、前記中間掴まり棒体７４を把持することが可能になる。これにより、患者Ｈは、体型に影響されることがなく、側部把持部７０のいずれかの部位を無理なく把持することができ、前記患者Ｈの種々の撮影部位を容易かつ確実に記録することが可能になるという効果が得られる。その上、側部把持部７０は、側部掴まり棒体７２と中間掴まり棒体７４とを設けるだけでよく、構成が簡素化して経済的なものになる。
【００５０】
ここで、図７に示すように、操作パネル１０４は、取り付け台１０６に対して上下方向に正面視から±１５°の範囲にわたって傾動可能である。従って、身長の異なる種々の患者Ｈは、撮影部１４で撮影姿勢に配置された状態で、操作パネル１０４のパネル部１１０に表示される患者名等を容易に確認することができるという利点がある。
【００５１】
また、操作パネル１０４は、正面姿勢から所定の方向（例えば、右側）に６０°の範囲内に傾動可能である。このため、図８に示すように、技師Ｇは、操作パネル１０４を所定の角度だけ傾動させることによって、パネル部１１０に表示される患者情報や撮影部位等を容易に確認することができ、操作性の向上を図ることが可能になる。さらに、パネル部１１０は、使用環境により昇降部１２の左側の側面や壁等に取り付けることもできる。
【００５２】
一方、撮影部１４の上方には、撮影時に患者Ｈが把持可能な上部把持部９６が昇降自在に設けられている。この上部把持部９６は、図３に示すように、患者Ｈの上方から離間する位置に上部掴まり棒体９８ａ〜９８ｄを備えている。従って、上部把持部９６が下降する際に、この上部把持部９６が患者Ｈと接触することがない。
【００５３】
さらに、患者は、上部掴まり棒体９８ａ〜９８ｄを選択的に把持するだけで、患者Ｈの身長や体型に影響されることがなく、上部把持部９６を確実に把持することができる。例えば、図９に示すように、身長が比較的高い患者Ｈは、撮影部１４に対して左側部を対向させた状態で、腕を最適角度である、例えば、６０°上方に伸ばすことにより、上部掴まり棒体９８ａを容易に把持することができる。
【００５４】
これに対して、比較的小柄な患者Ｈは、図１０に示すように、腕を最適角度である、例えば、６０°に伸ばすことにより、上部掴まり棒体９８ａの内方に配置されている上部掴まり棒体９８ｂを容易に把持することが可能になる。これにより、身長の異なる種々の患者Ｈは、最適角度に腕を伸ばして上部掴まり棒体９８ａまたは９８ｂを容易かつ確実に把持することができる。
【００５５】
さらにまた、患者Ｈが撮影部１４に対して右側部を対向した状態で配置されると、この患者Ｈは、上部掴まり棒体９８ｄ、９８ｃを選択的に把持することが可能になる。しかも、上部掴まり棒体９８ａ、９８ｂの端部は、円弧状に湾曲して一体的に形成されるとともに、上部掴まり棒体９８ｃ、９８ｄの端部は、同様に円弧状に湾曲して一体的に形成される。従って、上部掴まり棒体９８ａ〜９８ｄには、患者Ｈが把持する部位に突起部分が存在することはない。
【００５６】
また、昇降スイッチ部１２２は、ケーブル１２０を介してリモコン操作されるものであり、患者Ｈが不用意にこの昇降スイッチ部１２２に触ることを防止することができる。しかも、技師Ｇ等は昇降スイッチ部１２２を片手で容易に操作することが可能になり、操作性が向上するとともに、マグネット１２４によって、例えば、枠部材９２の任意の位置に保持させることができる。このため、患者Ｈによる誤操作を一層確実に阻止することが可能になる。さらに、昇降スイッチ部１２２を複数個接続することもできる。
【００５７】
その上、昇降スイッチ部１２２は、撮影部１４を昇降させる撮影部昇降スイッチ１２６と、上部把持部９６を昇降させる上部把持部昇降スイッチ１２８と、前記撮影部１４および前記上部把持部９６を連動して昇降させる連動スイッチ１３０とを備えている。これにより、撮影部１４および上部把持部９６の昇降操作が容易に遂行されるという効果がある。
【００５８】
さらにまた、撮影部１４では、グリッド３４を技師Ｇ等により交換することが可能となる。撮影部１４の上部には、グリッド有無表示ＬＥＤ８６、グリッド交換可能表示ＬＥＤ８８およびグリッド交換扉開スイッチ８９が設けられている。このため、技師Ｇ等は、グリッド交換可能表示ＬＥＤ８８が点灯している際に、グリッド交換扉開スイッチ８９を操作してグリッド交換扉のロックを解除した後、グリッド３４を撮影部１４の上部から鉛直方向に取り出す。
【００５９】
次いで、新たなグリッド３４を撮影部１４の上部から挿入すると、グリッド無表示ＬＥＤが点灯して前記グリッド３４の装着が確認される。そして、グリッド交換扉開スイッチ８９を操作することにより、グリッド交換扉をロックして開蓋を不可状態にする。これにより、グリッド３４の交換を終了する。
【００６０】
また、昇降部１２の上部には、本体表示灯９０が設けられており、撮影可能であることが表示される。従って、同一撮影室内に複数台の撮影機がある場合に、装置の選択ミスによる再撮影処理を防止することができる。
【００６１】
【発明の効果】
本発明に係る放射線画像情報記録装置では、撮影部の両側部には、撮影時に患者等の被写体が把持可能な側部把持部が設けられ、この側部把持部は、撮影部の側面視で略Ｌ字状の側部掴まり棒体を備えるとともに、前記側部掴まり棒体の途上に中間掴まり棒体が設けられている。
【００６２】
このため、被写体は、略Ｌ字状の側部掴まり棒体を、その上下方向および前後方向に沿った任意の位置で把持することができ、例えば、車椅子からの自立補助や、順手および逆手での把持や、撮影部の後ろに手を回すこと等が容易に遂行される。しかも、中間掴まり棒体が設けられているので、例えば、身長の低い被写体であっても、前記中間掴まり棒体を容易に把持することが可能になる。これにより、被写体は、身長、体型に影響されることがなく、側部把持部を無理なく把持することができ、この被写体の種々の撮影部位を容易かつ確実に記録することが可能になるとともに、構成が簡素化して経済的なものとなる。
【００６３】
また、撮影部の上方には、撮影時に患者が把持可能な上部把持部が昇降自在に設けられ、この上部把持部は、患者の上方位置から離間する位置に３以上の上部掴まり棒体を備えている。従って、上部把持部が下降する際に、この上部把持部が被写体と接触することはない。
【００６４】
さらに、被写体は、任意の上部掴まり棒体を選択するだけで、被写体の身長、体型に影響されることがなく、前記上部把持部を確実に把持することが可能になる。その上、上部掴まり棒体を選択的に把持することにより、被写体の左右両側を撮影部に対向させることができるとともに、例えば、肩甲骨を良好に開くことが可能になる。
【図面の簡単な説明】
【図１】本発明の実施形態に係る放射線画像情報記録読取装置の斜視説明図である。
【図２】前記放射線画像情報記録読取装置の概略構成図である。
【図３】前記放射線画像情報記録読取装置の平面説明図である。
【図４】操作パネルの正面説明図である。
【図５】昇降スイッチ部の正面説明図である。
【図６】患者が側部把持部を逆手で把持して撮影部に配置された状態の正面図である。
【図７】身長の異なる患者が前記撮影部に配置された状態の側面図である。
【図８】前記撮影部に前記患者が配置されて技師による操作が行われる際の平面説明図である。
【図９】身長の大きな患者が上部把持部を把持した状態の正面図である。
【図１０】身長の小さな患者が前記上部把持部を把持した状態の正面図である。
【図１１】特許文献１に係る放射線画像情報記録装置の斜視説明図である。
【符号の説明】
１０…放射線画像情報記録読取装置    １２…昇降部
１４…撮影部                        １６…撮影部昇降機構
２２…放射線記録部                  ２４…読み取り部
２６…副走査系                      ２８…消去光源部
７０…側部把持部                    ７２…側部掴まり棒体
７２ａ…鉛直部                      ７２ｂ…水平部
７４…中間掴まり棒体                ７６…保護機構
８４…接触検出スイッチ              ９０…本体表示灯
９２…枠部材                        ９４…上部把持部材昇降機構
９６…上部把持機構                  ９８ａ〜９８ｄ…上部掴まり棒体
１００…電源ブレーカスイッチ        １０２…緊急停止スイッチ
１０４…操作パネル                  １０６…取り付け台
１０８…装置電源スイッチ            １１０…パネル部
１２２…昇降スイッチ部              １２６…撮影部昇降スイッチ
１２８…上部把持部昇降スイッチ      １３０…連動スイッチ
【図１】
2004174019.tif 000003
【図２】
2004174019.tif 000004
【図３】
2004174019.tif 000005
【図４】
2004174019.tif 000006
【図５】
2004174019.tif 000007
【図６】
2004174019.tif 000008
【図７】
2004174019.tif 000009
【図８】
2004174019.tif 000010
【図９】
2004174019.tif 000011
【図１０】
2004174019.tif 000012
【図１１】
2004174019.tif 000013